(57)【要約】【課題】装着時に所定の位置からずれたり、脱落したりするのを防止し、組立を容易にする。【解決手段】先端部に係合部２３が設けられる可動部材２２と、先端部に係合部２３を回動自在に係合させる被係合部２６が設けられる固定部材２５と、被係合部２６と係合部２３を相対的に回動自在に連結する連結ネジ３１と、係合部２３と被係合部２６との間に介装されるワッシャー１、１１とを備える。ワッシャー１、１１を、中心部に貫通孔３、１３が設けられるワッシャー部２、１２と、ワッシャー部２、１２の貫通孔３、１３の周縁部に設けられるブッシュ部４、１４とにより構成される。ブッシュ部４を係合部２３の貫通孔２４内に嵌合させ、ブッシュ部１４をブッシュ部４の内径側に嵌合させることにより、両ワッシャー１、１１が所定の位置に位置決め保持される。【選択図】        図５
2004162750.tif 000002
【特許請求の範囲】
【請求項１】
中心部に貫通孔が設けられる平板状のワッシャー部と、該ワッシャー部の前記貫通孔の周縁部に一体に設けられる軸線方向の一方に突出する筒状のブッシュ部とを備えてなることを特徴とするワッシャー。
【請求項２】
前記ブッシュ部の先端部内周面又は外周面を全周に渡って面取りしたことを特徴とする請求項１に記載のワッシャー。
【請求項３】
先端部に係合部が設けられるとともに、該係合部の中心部に貫通孔が設けられる可動部材と、先端部に前記係合部を回動自在に係合させる被係合部が設けられるとともに、該被係合部の中心部に貫通孔が設けられる固定部材と、前記被係合部の貫通孔及び前記係合部の貫通孔を貫通して、前記被係合部と前記係合部を相対的に回動自在に連結する連結ネジと、前記係合部と前記被係合部との間に介装されるワッシャーとを備えた蝶番において、前記ワッシャーを、中心部に貫通孔が設けられる平板状のワッシャー部と、該ワッシャー部の前記貫通孔の周縁部に一体に設けられる軸線方向の一方に突出する筒状のブッシュ部とにより構成し、前記ブッシュ部を前記係合部の貫通孔内又は前記被係合部の貫通孔内に嵌合させたことを特徴とする蝶番。
【請求項４】
前記ワッシャーを、前記係合部の一方の側面と前記被係合部との間、及び前記係合部の他方の側面と前記被係合部との間にそれぞれ介装させ、一方のワッシャーのブッシュ部を前記係合部の貫通孔内に一方の側面側から嵌合させ、他方のワッシャーのブッシュ部を前記係合部の貫通孔内の前記ブッシュ部の内側に他方の側面側から嵌合させるように構成したことを特徴とする請求項３に記載の蝶番。
【請求項５】
前記一方のワッシャーのブッシュ部の先端部内周面を全周に渡って面取りし、前記他方のワッシャーのブッシュ部の先端部外周面を全周に渡って面取りしたことを特徴とする請求項４に記載の蝶番。
【発明の詳細な説明】
【０００１】
【発明の属する技術分野】
本発明は、ワッシャー及びそれを用いた蝶番に関し、特に、脱落防止機能を備えたワッシャー及びそれを用いた蝶番に関するものである。
【０００２】
【従来の技術】
一般に、相対的に回動自在に連結される二部材間には円板状のワッシャーが介装され、このワッシャーにより両部材の回動の際に両部材間にガタが生じたり、両部材の摺動面が摩耗するのを防止している。
【０００３】
上記のような構成のワッシャーを蝶番に用いた例を図７に示す。すなわち、この蝶番４１は、先端部に一山形の係合部４３が設けられる可動部材４２と、先端部に可動部材４２の係合部４３を回動自在に係合させる二山形の被係合部４６が設けられる固定部材４５と、固定部材４５の被係合部４６と可動部材４２の係合部４３とを回動自在に連結する連結ネジ５１とを備えたものであって、可動部材４２の係合部４３の一方の側面と固定部材４５の被係合部４６との間、及び可動部材４２の係合部４３の他方の側面と固定部材４５の被係合部４６との間にそれぞれワッシャー５５、５５を介装させることにより、係合部４３と被係合部４６との間にガタが生じるのを防止できるとともに、係合部４３及び被係合部４６の摺動面が摩耗するのを防止できるものである。
【０００４】
【発明が解決しようとする課題】
ところで、上記のような構成の蝶番４１を用いて、例えば、メガネフレームのテンプルとヨロイとを回動自在に連結するには、テンプル及びヨロイの連結部に合わせて蝶番４１の全体を小型化しなければならない。このため、蝶番４１の各構成部品及びワッシャー５５を小型化しなければならないため、特にワッシャー５５を所定の位置に位置決めするのが困難になり、装着時にワッシャー５５が所定の位置からずれたり、脱落したりすることがあり、蝶番４１全体の組立に非常に手間がかかってしまう。
【０００５】
本発明は、前記のような従来の問題を解決したものであって、小型であっても所定の位置への位置決めが簡単であり、しかも所定の位置からずれたり脱落したりすることがないワッシャー及びそれを用いた蝶番を提供することを目的とするものである。
【０００６】
【課題を解決するための手段】
上記のような課題を解決するために、本発明の請求項１に係るワッシャーは、中心部に貫通孔が設けられる平板状のワッシャー部と、該ワッシャー部の前記貫通孔の周縁部に一体に設けられる軸線方向の一方に突出する筒状のブッシュ部とを備えてなる手段を採用したものである。
また、本発明の請求項２に係るワッシャーは、請求項１に記載のワッシャーにおいて、前記ブッシュ部の先端部内周面又は外周面を全周に渡って面取りした手段を採用したものである。
さらに、上記のような課題を解決するために、本発明の請求項３に係る蝶番は、先端部に係合部が設けられるとともに、該係合部の中心部に貫通孔が設けられる可動部材と、先端部に前記係合部を回動自在に係合させる被係合部が設けられるとともに、該被係合部の中心部に貫通孔が設けられる固定部材と、前記被係合部の貫通孔及び前記係合部の貫通孔を貫通して、前記被係合部と前記係合部を相対的に回動自在に連結する連結ネジと、前記係合部と前記被係合部との間に介装されるワッシャーとを備えた蝶番において、前記ワッシャーを、中心部に貫通孔が設けられる平板状のワッシャー部と、該ワッシャー部の前記貫通孔の周縁部に一体に設けられる軸線方向の一方に突出する筒状のブッシュ部とにより構成し、前記ブッシュ部を前記係合部の貫通孔内又は前記被係合部の貫通孔内に嵌合させた手段を採用したものである。
さらに、本発明の請求項４に係る蝶番は、請求項３に記載の蝶番において、前記ワッシャーを、前記係合部の一方の側面と前記被係合部との間、及び前記係合部の他方の側面と前記被係合部との間にそれぞれ介装させ、一方のワッシャーのブッシュ部を前記係合部の貫通孔内に一方の側面側から嵌合させ、他方のワッシャーのブッシュ部を前記係合部の貫通孔内の前記ブッシュ部の内側に他方の側面側から嵌合させるように構成した手段を採用したものである。
さらに、本発明の請求項５に係る蝶番は、請求項４に記載の蝶番において、前記一方のワッシャーのブッシュ部の先端部内周面を全周に渡って面取りし、前記他方のワッシャーのブッシュ部の先端部外周面を全周に渡って面取りした手段を採用したものである。
【０００７】
【作用】
上記のような手段を採用したことにより、本発明のワッシャーを相対的に回動自在に連結される二部材間に介装させる場合には、少なくとも何れか一方の部材の連結部に設けた貫通孔内にブッシュ部を嵌合させることにより、その部材の側面にワッシャー部が密着した状態でワッシャーが所定の位置に位置決めされることになる。
また、本発明のワッシャーを本発明の蝶番に用いる場合には、蝶番の可動部材の係合部の貫通孔内又は固定部材の被係合部の貫通孔内にワッシャーのブッシュ部を嵌合させることにより、その部材の側面にワッシャー部が密着した状態でワッシャーが所定の位置に位置決めされることになる。
【０００８】
【発明の実施の形態】
以下、図面に示す本発明の実施の形態について説明する。
図１及び図２には、本発明によるワッシャーの一実施の形態が示されていて、このワッシャー１は、金属又は合成樹脂から形成されるものであって、中心部に軸線方向に貫通する貫通孔３が設けられる円板状のワッシャー部２と、ワッシャー部２の貫通孔３の周縁部に一体に設けられる軸線方向の一方に突出する筒状のブッシュ部４とを備えており、ブッシュ部４の先端部内周面は全周に渡って所定の角度で面取りされている。
【０００９】
図３及び図４には、本発明によるワッシャーの他の実施の形態が示されていて、このワッシャー１１は、図１及び図２に示すものと同様に、金属又は合成樹脂から形成されるものであって、中心部に軸線方向に貫通する貫通孔１３が設けられる円板状のワッシャー部１２と、ワッシャー部１２の貫通孔１３の周縁部に一体に設けられる軸線方向の一方に突出する筒状のブッシュ部１４とを備えており、ブッシュ部１４の先端部外周面は全周に渡って所定の角度で面取りされている。
【００１０】
図１及び図２に示すワッシャー１のブッシュ部４と図３及び図４に示すブッシュ部１４とは、ブッシュ部４の長さをａ１、外径をｂ１、内径をｃ１、ブッシュ部１４の長さをａ２、外径をｂ２、内径をｃ２としたときに、ａ１＝ａ２、ｃ１≧ｂ２の関係が成り立つように、ブッシュ部４、１４の各部の寸法が設定されている。
【００１１】
そして、上記のような構成のワッシャー１、１１を相対的に回動自在に連結される二部材（図示せず）間に介装させる場合には、何れか一方の部材の連結部（図示せず）の貫通孔（図示せず）内に連結部の一方の側面側からワッシャー１のブッシュ部４を嵌合させ、他方の側面側からワッシャー１１のブッシュ部１４をワッシャー１のブッシュ部４の内径側に嵌合させる。
【００１２】
そして、この状態で両部材の連結部の貫通孔内に連結ネジ（図示せず）を挿通させて締め付けることにより、両部材が相対的に回動自在に連結され、両部材の相対的な回動時に両部材間にガタが生じたり、両部材の摺動面が摩耗したりするのを防止できるものである。
【００１３】
上記のように構成したこの実施の形態によるワッシャー１、１１にあっては、ブッシュ部４、１４を一方の部材の連結部の貫通孔内に嵌合させることにより、二部材間の所定の位置に位置決め保持されることになるので、二部材を組み立てる際に、ワッシャー１、１１が装着位置からずれたり、脱落するようなことはなく、小型のワッシャー１、１１であっても、簡単に二部材を回動自在に組み立てることができることになる。
【００１４】
なお、前記の説明においては、ワッシャー１、１１のワッシャー部２、１２を円板状に形成したが、多角形板状に形成しても良い。また、一方の部材にワッシャー１、１１を保持するように構成したが、他方の部材にワッシャー１、１１を保持するようにしても良いし、両部材にそれぞれワッシャー１、１１を保持するようにしても良い。
【００１５】
図５及び図６には、本発明による蝶番の一実施の形態が示されていて、この蝶番２１は、先端部に一山形の係合部２３が設けられる可動部材２２と、先端部に可動部材２２の係合部２３を回動自在に係合させる二山形の被係合部２６が設けられる固定部材２５と、固定部材２５の被係合部２６と可動部材２２の係合部２３とを回動自在に連結する連結ネジ３１とを備えたものであって、可動部材２２の係合部２３の一方の側面と固定部材２５の一方の被係合片２７との間、及び可動部材２２の係合部２３の他方の側面と固定部材２５の他方の被係合片２８との間にそれぞれワッシャー１、１１を介装させたものである。
【００１６】
ワッシャー１は、図１及び図２に示すものと同様の構成を有し、ワッシャー１１は、図３及び図４に示すものと同様の構成を有するものであるので、その詳細な説明は省略するものとする。
【００１７】
そして、上記のような構成の蝶番を一体に組み立てるには、可動部材２２の係合部２３の貫通孔２４内に一方からワッシャー１のブッシュ部４を嵌合させ、ワッシャー部２を係合部２３の一方の側面に密着させる。そして、可動部材２２の係合部２３の貫通孔２４内のブッシュ部４の内径側に他方からワッシャー１１のブッシュ部１４を嵌合させ、ワッシャー部１２を係合部２３の他方の側面に密着させ、両ワッシャー１、１１を可動部材２２の係合部２３の両側面に保持する。
【００１８】
そして、この状態で可動部材２２の係合部２３を固定部材２５の被係合部２６の両被係合片２７、２８間に係合させ、被係合片２７の貫通孔２９、ブッシュ部１４の内径側、被係合片２８の貫通孔３０内に連結ネジ３１を挿通させて締め付ける。このようにして、可動部材２２と固定部材２５とを相対的に回動自在に連結することができるものである。
【００１９】
そして、上記のような構成の蝶番２１の可動部材２２の後端部を溶接等により、例えばメガネフレームのテンプル（図示せず）側に連結し、固定部材２５の後端部を溶接等によりヨロイ（図示せず）側に連結することで、テンプルとヨロイとを蝶番２１を介して相対的に回動自在に連結することができるものである。
【００２０】
上記のように構成したこの実施の形態による蝶番２１にあっては、可動部材２２の係合部２３の貫通孔２４内にブッシュ部４、１４を嵌合させることにより、係合部２３の両側面にそれぞれワッシャー１、１１を保持することができるので、蝶番２１の全体が小型であって、ワッシャー１、１１が小型であっても、装着時にワッシャー１、１１が所定の位置からずれたり、脱落したりするようなことはなく、確実に所定の位置に位置決めすることができることになる。従って、ワッシャー１、１１の装着が容易となるので、蝶番２１全体の組立、メガネフレームの組立が容易となる。
【００２１】
なお、前記の説明においては、可動部材２２の係合部にワッシャー１、１１を保持するように構成したが、固定部材２５の被係合部２６の被係合片２７、２８側にワッシャー１、１１を保持するように構成しても良い。また、蝶番２１に限らず、その他の周知の相対的に回動自在に連結される二部材間に介装させても良い。
【００２２】
【発明の効果】
本発明によるワッシャーは、前記のように構成したことにより、相対的に回動自在に連結される二部材間に介装させるには、何れかの部材の連結部に設けられる貫通孔内にブッシュ部を嵌合させることにより、その部材の側面にワッシャー部が密着した状態でワッシャーをその部材に保持することができ、二部材間の所定の位置に位置決めすることができることになる。従って、ワッシャーが小型であっても、装着時にワッシャーが装着位置からずれたり、脱落したりするようなことはなく、ワッシャーの装着が容易となり、二部材の組立が容易となる。
【００２３】
また、本発明による蝶番は、可動部材の係合部と固定部材の被係合部との間にワッシャーを介装させる場合に、係合部の一方の側面側から貫通孔内に一方のワッシャーのブッシュ部を嵌合させ、係合部の他方の側面側から他方のワッシャーのブッシュ部を一方のブッシュ部の内径側に嵌合させることにより、係合部の両側面にワッシャー部が密着した状態で各ワッシャーが係合部に保持されることになる。従って、ワッシャーが小型であっても、装着の時にワッシャーが装着位置からずれたり、脱落したりするようなことはなく、ワッシャーを確実に所定の位置に位置決めすることができ、ワッシャーの装着が容易となり、蝶番の組立、蝶番を用いるメガネフレーム等の組立が容易となる。
【図面の簡単な説明】
【図１】本発明によるメガネフレームの一実施の形態を示した平面図である。
【図２】図１の右側面図である。
【図３】本発明によるメガネフレームの他の実施の形態を示した平面図である。
【図４】図３の左側面図である。
【図５】本発明による蝶番の一実施の形態を示したものであって、部品間の関係を示した説明図である。
【図６】図５に示す可動部材とワッシャーとの関係を示した説明図である。
【図７】従来の蝶番の一例を示したものであって、部品間の関係を示した説明図である。
【符号の説明】
１、１１、５５……ワッシャー
２、１２……ワッシャー部
３、１３……貫通孔
４、１４……ブッシュ部
２１、４１……蝶番
２２、４２……可動部材
２３、４３……係合部
２４、２９、３０……貫通孔
２５、４５……固定部材
２６、４６……被係合部
２７、２８……被係合片
３１、５１……連結ネジ
【図１】
2004162750.tif 000003
【図２】
2004162750.tif 000004
【図３】
2004162750.tif 000005
【図４】
2004162750.tif 000006
【図５】
2004162750.tif 000007
【図６】
2004162750.tif 000008
【図７】
2004162750.tif 000009